(57)【要約】  連結されたエンハンストショートメッセージの管理方法は、ページのＲＥＡＤ（既読）／ＵＮＲＥＡＤ（未読）状態を表す状態変数を作成するステップと、通信端末によって受信された各ページに状態変数を割り当てるステップと、割り当てられた状態変数をＵＮＲＥＡＤ（未読）へと初期化するステップと、メッセージの受信されたページのいずれか１ページが読まれた後、メッセージの受信された全てのページの状態変数をＲＥＡＤ（既読）に更新し、メッセージの後続のページが受信されると、メッセージの以前に受信された全てのページの状態変数をＵＮＲＥＡＤ（未読）に更新するステップとを含んでいる。
2005509224.tif 000002
【特許請求の範囲】
【請求項１】
通信ネットワークにより通信端末に送信される、少なくとも１ページを含む連結されたエンハンストショートメッセージの管理方法であって、
ａ）ページのＲＥＡＤ（既読）／ＵＮＲＥＡＤ（未読）状態を表す状態変数を作成するステップと、
ｂ）通信端末によって受信された各ページに前記状態変数を割り当てるステップと、
ｃ）前記割り当てられた状態変数をＵＮＲＥＡＤ（未読）へと初期化するステップと、
ｄ）メッセージの受信されたページのいずれか１ページが読まれた後に、メッセージの受信された全てのページの状態変数をＲＥＡＤ（既読）に更新し、メッセージの後続のページが受信されると、メッセージの以前に受信された全てのページの状態変数をＵＮＲＥＡＤ（未読）に更新するステップとを含むことを特徴とする方法。
【請求項２】
メッセージは１ページのみを有し、前記ページが受信されると呼び出し音を鳴らし、且つ、１つの情報を表示するためにスクリーンをポップアップするステップを更に含む請求項１に記載の方法。
【請求項３】
メッセージは少なくとも２ページを含み、各ページはＥＭＳページの総数とそのページ番号とを表すフィールドを含む請求項１に記載の方法。
【請求項４】
ページが受信されるたびに、所定のアイコンをプロンプト状態に設定するステップを更に含む請求項３に記載の方法。
【請求項５】
前記メッセージの最終ページが受信されると、メッセージの着信を知らせるために呼び出し音を鳴らし、且つ、スクリーンをポップアップするステップを更に含む請求項４に記載の方法。
【請求項６】
表示命令が受信されるとメッセージのコンテンツをスクリーン上に表示するステップと、
メッセージの受信された全てのページの状態変数をＲＥＡＤ（既読）に更新するステップとを更に含む請求項５に記載の方法。
【請求項７】
更に、
ユーザメニューを起動させるステップを有し、
ユーザメニューからショートメッセージのエントリを選択し、スクリーン上にＵＮＲＥＡＤ（未読）グループとＲＥＡＤ（既読）グループの２つのアイテムを表示するステップを有し、ＵＮＲＥＡＤ（未読）グループはＵＮＲＥＡＤ（未読）状態のページを有するメッセージを含んでおり、ＲＥＡＤ（既読）グループはＲＥＡＤ（既読）状態のページを有するメッセージを含んでおり、
ＵＮＲＥＡＤ（未読）グループを指定し、ＵＮＲＥＡＤ（未読）グループのメッセージをスクリーン上にリストするステップを有し、
所望のメッセージを指定し、そのコンテンツをスクリーン上に表示するステップを有し、
メッセージの全てのページの状態変数をＲＥＡＤ（既読）に更新するステップを有し、
前記所定のアイコンをカウンタープロンプト状態に設定するステップとを含む請求項４に記載の方法。
【請求項８】
更に、
ユーザメニューを起動させるステップを有し、
ユーザメニューからショートメッセージ用のエントリを選択し、ＵＮＲＥＡＤ（未読）グループとＲＥＡＤ（既読）グループの２つのアイテムをスクリーン上に表示するステップを有し、ＵＮＲＥＡＤ（未読）グループはＵＮＲＥＡＤ（未読）状態のページを有するメッセージを含んでおり、ＲＥＡＤ（既読）グループはＲＥＡＤ（既読）状態のページを有するメッセージを含んでおり、
ＲＥＡＤ（既読）グループを指定し、ＲＥＡＤ（既読）グループのメッセージをスクリーン上にリストするステップを有し、
所望のメッセージを指定し、そのコンテンツをスクリーン上に表示するステップとを含む請求項６または７に記載の方法。
【請求項９】
ＵＮＲＥＡＤ（未読）グループのメッセージをリストするステップは、ＵＮＲＥＡＤ（未読）メッセージをそれぞれの時間パラメータに応じて昇順にリストするステップを含む請求項７に記載の方法。
【請求項１０】
ＵＮＲＥＡＤ（未読）グループのメッセージをリストするステップは、ＵＮＲＥＡＤ（未読）メッセージをそれぞれの時間パラメータに応じて降順にリストするステップを含む請求項７に記載の方法。
【請求項１１】
ＵＮＲＥＡＤ（未読）グループのメッセージをリストするステップは、ＵＮＲＥＡＤ（未読）メッセージをそれぞれの時間パラメータに応じて昇順にリストするステップを含み、ＲＥＡＤ（既読）グループのメッセージをリストするステップは、ＲＥＡＤ（既読）メッセージをそれぞれの時間パラメータに応じて昇順にリストするステップを含む請求項８に記載の方法。
【請求項１２】
ＵＮＲＥＡＤ（未読）グループのメッセージをリストするステップは、ＵＮＲＥＡＤ（未読）メッセージをそれぞれの時間パラメータに応じて降順にリストするステップを含み、ＲＥＡＤ（既読）グループのメッセージをリストするステップは、ＲＥＡＤ（既読）メッセージをそれぞれの時間パラメータに応じて降順にリストするステップを含む請求項８に記載の方法。
【請求項１３】
１つのメッセージの時間パラメータは前記メッセージのページ内のＴＰ＿ＳＣＴＳのフィールドによって表され、前記ページはメッセージの受信された全てのページのうち最小ページ番号を有している請求項９から１２のいずれか一項に記載の方法。
【請求項１４】
メッセージのコンテンツを表示するステップは、ページ番号の昇順にメッセージのコンテンツを表示するステップを含む請求項６から８に記載の方法。
【請求項１５】
メッセージのコンテンツを表示するステップは、欠落したページを置換するために所定の記号またはストリングを表示するステップを含む請求項１４に記載の方法。
【請求項１６】
メッセージの後続のページが受信されると、メッセージの以前に受信された全てのページの状態変数をＵＮＲＥＡＤ（未読）に更新するステップは、前記後続のページと同じメッセージに属するコンポーネントページを特定するために、前記後続のページと通信端末によって受信された全てのページとを、メッセージ参照フィールド、および送信元アドレスに関して比較するステップを含む請求項３に記載の方法。
【請求項１７】
受信されたページのページ番号が端末で利用できる最大のページ番号よりも大きいか否かを判定するステップと、ページ番号が利用できる最大のページ番号よりも大きい場合は、ネットワークに対してページの受信を通知し、ページを消去するステップを更に含む請求項３に記載の方法。
【請求項１８】
メッセージが適正に受信されたことを示す最後のページの状態リポートをメッセージ送信端末に送る受信側の動作を要求するステップを更に含む請求項３に記載の方法。
【請求項１９】
通信ネットワークにより送信される、少なくとも１ページを含む連結されたエンハンストショートメッセージを管理するための通信端末であって、
命令を入力する手段と、
ページを受信する手段と、
受信したページを記憶する手段と、
ユーザに対してページの着信を通知する手段とを備え、
更に、
ページのＲＥＡＤ（既読）／ＵＮＲＥＡＤ（未読）状態を表す状態変数を作成する手段と、
通信端末によって受信された各ページに前記状態変数を割り当てる手段と、
前記状態変数をＵＮＲＥＡＤ（未読）へと初期化する手段と、
メッセージの受信されたページのいずれか１ページが読まれた後、メッセージの受信された全てのページの状態変数をＲＥＡＤ（既読）に更新し、メッセージの後続のページが受信されると、メッセージの以前に受信された全てのページの状態変数をＵＮＲＥＡＤ（未読）に更新する手段とを備えることを特徴とする通信端末。
【請求項２０】
前記通信端末が携帯電話である請求項１９に記載の通信端末。
【請求項２１】
前記記憶手段がＳＩＭカードである請求項２０に記載の通信端末。
【請求項２２】
メッセージが適正に届けられたことを示す最後のページの状態リポートをメッセージ送信端末に送る受信側の動作を要求する手段を更に備える請求項２０に記載の通信端末。
【発明の詳細な説明】
【技術分野】
【０００１】
本発明は通信端末におけるショートメッセージの管理方法に関し、特に携帯電話のような通信端末における連結されたエンハンストショートメッセージの管理方法に関する。本発明は更に、この方法を使用した通信端末に関する。
【背景技術】
【０００２】
ショートメッセージサービス（ＳＭＳ）は携帯電話のユーザに熱く歓迎されている。従来の通話サービスを超えるＳＭＳの利点は、送信者がメッセージの受信に関して心配することがほとんどないことである。受信端末の電源がオフであったり、信号が弱い場所であっても、ユーザが携帯電話の電源をオンにし、または信号の強い場所に行けば、メッセージは最終的に受信される。しかし、従来の通話サービスに関して、ほとんどのユーザには呼出し信号が受信されず、または現位置で信号強度が低い場合に通話の音質が劣化するという経験がある。このような状況にあって、信号が強い場所で双方の間に通信接続が再確立されない限り、受信者は情報を得られない。受信端末がオフ状態の場合に呼出しが受信されないことは言うまでもない。ＳＭＳの別の利点はサービス料金が安いことである。
【０００３】
ＳＭＳ開発の初期段階では、ショートメッセージはメロディや画像のような何らかのマルチメディアなしのテキストコンテンツしか含んでいないので、メッセージは少量の情報しか含まず、したがって１つのトランスポートプロトコルデータユニット（ＴＰＤＵ）から構成することができた。ＳＭＳプロトコルはこのようなショートメッセージの伝送をサポートするものである。最近になって、モバイルＳＭＳ  ３ＧＰＰ  ＴＳ  ２３．０４０の勧告でエンハンストショートメッセージサービス（ＥＭＳ）が導入された。ＥＭＳは大量の情報を含む可能性があり、２つ以上のＴＰＤＵを必要とする。この現在のプロトコルは幾つかのＴＰＤＵを連結することによって、ネットワーク内のＥＭＳの送信をもサポートする。
【０００４】
しかし、この現在のプロトコルは連結されたＴＰＤＵが順序どおりに端末に着信することを保証するものではない。１つのＥＭＳからのＴＰＤＵが不規則順に端末に着信することがあるだけではなく、別のＥＭＳからのＴＰＤＵも交互に着信することがある。例えば、２つのＥＭＳが端末に送信される。１つはｍ１、ｍ２、ｍ３およびｍ４の順の４つの連結されたＴＰＤＵからなり、もう１つはＭ１、Ｍ２、Ｍ３、Ｍ４およびＭ５の順の５つの連結されたＴＰＤＵからなっている。このプロトコルはＴＰＤＵの着信を順序どおりにサポートしないので、これらは次のような順序、すなわちｍ４、ｍ１、Ｍ３、ｍ２、Ｍ５、Ｍ２、．．．で端末に着信することがある。
【０００５】
ＥＭＳは不規則順に端末に着信することがあるので、幾つかの問題が生じ、解決される必要がある。第一の問題点は、ＥＭＳの着信をユーザにいつ通知するかである。簡単な１つの構想は全てのＴＰＤＵの着信時にユーザに通知することである。よく知られているように、ＥＭＳの１つまたは複数のＴＰＤＵが送信期間中に損失されることがある。したがって、この構想では１つのＴＰＤＵが着信しない場合は、マンマシンインターフェース（ＭＭＩ）はオープンシステムのアプリケーション層に接続されないので、ユーザはＥＭＳの着信も通知されず、またＥＭＳのいかなるコンテンツの検索もできない。別の検討は、１つのＴＰＤＵが着信するごとにユーザに着信を通知するというものである。しかし、時々、この方法は端末に負担をかけ、ユーザを過剰に煩わせる。
【０００６】
別の設計は、全てのＴＰＤＵが正しい順序で着信した場合にユーザにＥＭＳの着信を通知し、スクリーン上にそのコンテンツを表示し、また、ＥＭＳが不規則順に着信し、または少なくとも１つのＴＰＤＵが損失された場合は、正しくないコンテンツをスクリーンに表示する（例えば不規則順での表示）という構想である。しかし、この三番目の設計は依然として、１つのＴＰＤＵが着信しなくてもユーザにＥＭＳの着信を通知し、ＥＭＳは正しくないコンテンツによってスクリーン上に表示されるだけである。それはユーザにとって親切ではないばかりか、ユーザインターフェースにとっても妥当ではない。
【０００７】
したがって別の問題点、すなわち端末に不規則順に着信する個々のＴＰＤＵをいかにして認識し、表示するかという問題が生ずる。
【０００８】
更に別の問題は、「破損された」ＥＭＳをいかにして表すかである。ここで「破損された」という用語は、１つまたはそれ以上のＴＰＤＵが損失してＥＭＳが完結しないことを意味する。
【０００９】
したがって、メッセージの着信をユーザに対して適時に通知し、かつ受信されたＥＭＳのコンテンツを適正かつ親切に表示するために、通信端末における連結されたエンハンストショートメッセージの改善された管理方法を提供する必要がある。
【発明の開示】
【発明が解決しようとする課題】
【００１０】
したがって、本発明の目的は通信端末における連結されたエンハンストショートメッセージの管理方法を提供することにある。
【００１１】
本発明の別の目的はユーザに対してＥＭＳの着信を通知する方法を提供することにある。
【００１２】
本発明の更に別の目的はユーザに親切な方法でＥＭＳを表示する方法を提供することにある。
【００１３】
本発明の更に別の目的は、本発明による連結されたエンハンストショートメッセージの管理方法を使用した通信端末を提供することにある。
【課題を解決するための手段】
【００１４】
本発明は、通信ネットワークにより通信端末に送信される、少なくとも１ページを含む連結されたエンハンストショートメッセージの管理方法を提供するものである。この方法は、
ａ）ページのＲＥＡＤ（既読）／ＵＮＲＥＡＤ（未読）状態を表す状態変数を作成するステップと、
ｂ）通信端末によって受信された各ページに前記状態変数を割り当てるステップと、
ｃ）前記割り当てられた状態変数をＵＮＲＥＡＤ（未読）へと初期化するステップと、
ｄ）メッセージの受信されたページのいずれか１ページが読まれた後に、メッセージの受信された全てのページの状態変数をＲＥＡＤ（既読）に更新し、メッセージの後続のページが受信されると、メッセージの以前に受信された全てのページの状態変数をＵＮＲＥＡＤ（未読）に更新するステップとを含んでいる。
【００１５】
上記の方法で、メッセージは１ページまたはそれ以上のページを有していてもよい。メッセージが少なくとも２ページを含んでいる場合は、各ページはＥＭＳページの総数とそのページ番号とを表すフィールドを含んでいる。ページが受信されるごとに、所定のアイコンがプロンプト状態に設定される。この場合、本方法は更に、ユーザメニューを起動させるステップを有し、ユーザメニューからショートメッセージのエントリを選択し、スクリーン上にＵＮＲＥＡＤ（未読）グループとＲＥＡＤ（既読）グループの２つのアイテムを表示するステップを有し、ＵＮＲＥＡＤ（未読）グループはＵＮＲＥＡＤ（未読）状態のページを有するメッセージを含んでおり、ＲＥＡＤ（既読）グループはＲＥＡＤ（既読）状態にあるページを有するメッセージを含んでおり、ＵＮＲＥＡＤ（未読）グループを指定し、ＵＮＲＥＡＤ（未読）グループのメッセージをスクリーン上にリストするステップを有し、所望のメッセージを指定し、そのコンテンツをスクリーン上に表示するステップを有し、メッセージの全てのページの状態変数をＲＥＡＤ（既読）に更新するステップを有し、前記所定のアイコンをカウンタープロンプト状態に設定するステップとを含んでいてもよい。本発明の方法はまた、ＲＥＡＤ（既読）グループから所望のメッセージを選択し、その内容をスクリーンにいつでも表示することができる。
【００１６】
メッセージの最後のページが受信されると、呼出し音が発され、スクリーンがポップされてメッセージの着信が通知される。この時点で本方法は、表示命令が受信されるとメッセージのコンテンツをスクリーン上に表示するステップと、メッセージの受信された全てのページの状態変数をＲＥＡＤ（既読）に更新するステップとを更に含んでいてもよい。
【００１７】
上記の発明で、ＵＮＲＥＡＤ（未読）またはＲＥＡＤ（既読）グループのメッセージをリストするステップは、ＵＮＲＥＡＤ（未読）またはＲＥＡＤ（既読）メッセージをそれぞれの時間パラメータに応じて昇順または降順にリストするステップを含んでいてもよい。メッセージのコンテンツを表示するステップは、ページ番号の昇順にメッセージのコンテンツを表示するステップを含んでいてもよい。好適には、欠落したページを置換するために所定の記号またはストリングが用いられる。
【００１８】
本発明の方法は、メッセージが適正に受信されたことを示す最後のページの状態リポートをメッセージ送信端末に送る受信側の動作を要求するステップを更に含んでいてもよい。
【００１９】
本発明は更に、上記の管理方法を使用した通信端末を提供するものである。通信端末は、命令を入力する手段と、ページを受信する手段と、受信したページを記憶する手段と、ユーザに対してページの着信を通知する手段とを備えていることに加え、更に、ページのＲＥＡＤ（既読）／ＵＮＲＥＡＤ（未読）状態を表す状態変数を作成する手段と、通信端末によって受信された各ページに前記状態変数を割り当てる手段と、前記状態変数をＵＮＲＥＡＤ（未読）へと初期化する手段と、メッセージの受信されたページのいずれか１ページが読まれた後、メッセージの受信された全てのページの状態変数をＲＥＡＤ（既読）に更新し、メッセージの後続のページが受信されると、メッセージの以前に受信された全てのページの状態変数をＵＮＲＥＡＤ（未読）に更新する手段とを備えている。
【００２０】
前述の通信端末は携帯電話でよく、前記記憶手段はＳＩＭカードであってよい。更に、通信端末は、メッセージが適正に届けられたことを示す最後のページの状態リポートをメッセージ送信端末に送る受信側の動作を要求する手段を更に備えていてもよい。
【発明を実施するための最良の形態】
【００２１】
添付図面に実施例が示されている、本発明の現在の好適な実施形態を詳細に説明する。可能な限り、同一の、または類似の部分を参照する際は図面全体を通して同一の参照番号を使用する。
【００２２】
典型的な携帯電話を図１に示す。携帯電話１０はキーパッド１とスクリーン２とを含んでいる。キーパッド１は数字キー０〜９と機能キーとを備えている。スクリーン２はプロンプトアイコン、通知、およびショートメッセージのような情報を表示するために使用される。
【００２３】
図２はＥＭＳのデータ構造の概略図である。１つのＥＭＳは一般に連結された幾つかのＴＰＤＵからなっており、その各々がＴＰヘッダとＴＰユーザデータとを含んでいる。ＴＰヘッダは電話番号、対応するＴＰＤＵがサービスセンターに着信する時間を表すサービスセンタータイムスタンプ（以下ＴＰ＿ＳＣＴＳと呼ぶ）、および送信元アドレス（以下ＴＰ＿ＯＡと呼ぶ）のような送信情報を含んでいる。ＴＰユーザデータはユーザデータヘッダ長、幾つかの情報エレメント（ＩＥ）を含むユーザデータヘッダ、およびショートメッセージから構成されている。連結されたＥＭＳは１ページのみを有する従来のメッセージよりもＩＥが１つだけ多い。一般に、この追加のＩＥは第一のＩＥとして配列される。第一の情報エレメントに格納されている情報にはＩＥ識別子と、ＩＥデータ長と、ＩＥデータとが含まれている。これらのフィールドのうち、ＩＥ識別子はメッセージの連結された情報を表すために用いられる。例えば、ＩＥ識別子が８ビットの基準数で０ｘ００、または１６ビットの基準数で０ｘ０８である場合は、対応するメッセージは連結されている。通常は、ＩＥデータ長＝０ｘ０３であり、ＩＥデータは３オクテットのメッセージリファレンスと、ページ総数（すなわちＴＰＤＵ）と、ページ番号とからなっている。同一のＥＭＳ内の全てのＴＰＤＵは同一のメッセージリファレンスおよび送信元アドレスを有している。ＥＭＳ内の個々のＴＰＤＵはそれらのページ番号によって区別できる。例えば、ＥＭＳはｍ１、ｍ２、ｍ３およびｍ４のシーケンスによって表すことができ、ｍはＥＭＳを表すキーワードであり、数字１〜４はそのＴＰＤＵ構成要素のページ番号を表し、したがって、ｍ１〜ｍ４をＥＭＳ内のそれぞれのＴＰＤＵを表すために使用できる。
【００２４】
本発明では、入力されたメッセージシーケンス内の異なるＥＭＳはメッセージリファレンスおよび個々のＴＰＤＵの送信元アドレスで区別される。同一のメッセージリファレンスおよび送信元アドレスを有するＴＰＤＵは同じＥＭＳに属するものと見なされる。
【００２５】
本発明では、各ＴＰＤＵに状態変数が割り当てられる。新規のＥＭＳ用にそのＴＰＤＵの状態変数がＵＮＲＥＡＤ（未読）に設定され、新規のＥＭＳはＵＮＲＥＡＤ（未読）グループに分類される。新規のＥＭＳが一旦読まれると、ＴＰＤＵの全構成要素の状態変数がＲＥＡＤ（既読）に更新され、ＥＭＳはＲＥＡＤ（既読）グループに分類される。受信されたＥＭＳが破損されたものであり、欠落したページが後に着信した場合は、欠落したページの状態変数がＵＮＲＥＡＤ（未読）に設定されるだけではなく、ＥＭＳの以前に読まれたページの状態変数もＵＮＲＥＡＤ（未読）に更新される。その結果生じたＥＭＳはＵＮＲＥＡＤ（未読）グループに再分類される。
【００２６】
本発明では、好適にはメッセージの着信は２つの方法でユーザに通知される。図１Ａはこの動作段階での表示モードの例を概略的に示している。ＥＭＳの最初のページまたは最後のページが端末に着信すると、呼出し音が鳴り、一時的なスクリーンがポップアップして、「新しいショートメッセージがあります」のような情報が表示される。この場合、最初のページまたは最後のページがＥＭＳの他のページと共に最初の時点で着信したのか、または後の時点で欠落したページとして着信したのかにかかわらず、ユーザはエントリキーを押すだけでＥＭＳの内容を読める。この場合は、最初のページはページ番号「１」を有するページであり、最後のページはメッセージの最大のページ番号を有するページである。別の方法は、ページの着信のたびに所定のプロンプトアイコンを点灯させることである。図１Ａではアイコンはスクリーンの上部のバー内に配列されている。この場合は、ユーザはユーザメニューを起動させ、メニューからショートメッセージ用のエントリを選択できる。次に、スクリーンに２つの項目、すなわち１つはＵＮＲＥＡＤ（未読）グループ用の項目、もう１つはＲＥＡＤ（既読）グループ用の項目が表示される。図１Ｂはこの動作段階での表示モードの例を概略的に示している。ＵＮＲＥＡＤ（未読）グループの項目を選択することによって、電話番号や氏名のような幾つかのエントリがスクリーン上にリストされ、これらのエントリに対応する全てのＥＭＳはＵＮＲＥＡＤ（未読）にある。図１Ｃはこの動作段階での表示モードの例を概略的に示している。所望のエントリを更に指定することによって、ユーザはスクリーン上の対応するＥＭＳのコンテンツを読むことができる。メッセージの１ページまたは複数ページが読まれると、メッセージの受信された全ページの状態変数がＲＥＡＤ（既読）に更新され、所定のプロンプトアイコンが暗くなる。本発明では、所定のプロンプトアイコンが点灯しなくても、ユーザは自発的にユーザメニューを起動させ、ＲＥＡＤ（既読）グループを選択し、次に所望のエントリを指定して、対応するＥＭＳのコンテンツを閲覧できる。
【００２７】
本発明の好適な実施形態では、図１Ｃに示すようなエントリをＥＭＳの時間パラメータに応じて所定順にリストできる。前述したように、各ＴＰＤＵは、ＴＰＤＵがサービスセンターに着信した時間を示すＴＰ＿ＳＣＴＳをＴＰヘッダ内に有している。個々のＴＰＤＵは同じＥＭＳに属している場合でも異なるＴＰ＿ＳＣＴＳを有することがある。ＥＭＳをソートするため、ＥＭＳの時間パラメータと同じＥＭＳの受信された全ページから、最小ページ番号を有するページのＴＰ＿ＳＣＴＳが選択される。同じグループ（ＵＮＲＥＡＤ（未読）グループ、またはＲＥＡＤ（既読）グループ）のＥＭＳの中でこのような時間パラメータを比較することによって、対応するエントリを希望に応じて昇順または降順でリストすることができる。
【００２８】
本発明の特定の実施形態では、ＥＭＳのコンテンツはそのＴＰＤＵ構成要素のページ番号に応じて昇順で表示される。１つまたは複数のＴＰＤＵが欠落している場合は、対応するコンテンツは好適には「（．．．）」のような特殊なストリング、または特殊記号を表示することによって置き換えられる。図１Ｄはこの表示モードの例を概略的に示している。この表示モードは、人々の読む習慣と一致し、欠落したページを指示できるので有利である。
【００２９】
本発明の実施形態では、ＥＭＳの発信者がＧＳＭ  ＲＥＣ内に「状態リポート」フラグをセットし、メッセージが適正に受信されたか否かを認識するためにメッセージ状態リポートを要求した場合、宛先の携帯電話はメッセージの最後のページについてのみ状態リポートを作成するよう受信側ネットワークに要求するように設計されている。メッセージのページが昇順で配列されている場合は、最後のページは最大のページ番号を有するページである。最後のページについて受信側ネットワークによって作成される状態リポートは、メッセージを発信する携帯電話によるメッセージ全体についての状態リポートであると見なされる。
【００３０】
図３は本発明による着信ＥＭＳを管理するプロセスのフローチャートである。プロセスはステップＳ２０から始まる。ステップ２０で、新規のＥＭＳページ（すなわちＴＰＤＵ）が携帯電話に着信し、ＳＩＭカードに記憶される。ステップＳ２２で、状態変数がページに割り当てられ、ＵＮＲＥＡＤ（未読）に設定される。次に、プロセスはステップＳ２４に進み、ページが連結されているか、またはＴＰＤＵのＩＥ識別子に基づいていないかを判定する。連結されていない場合、すなわち着信メッセージが１ページしか含んでいない場合は、プロセスはステップＳ２６に進む。ステップＳ２６では、呼出し音が鳴り、一時的なスクリーンがポップアップされ、プロンプトアイコンが点灯して、ユーザに対してメッセージの着信を通知する。着信ページが連結されている場合は、ステップＳ２８はそのページ番号を、携帯電話が利用できる最大許容ページ数と比較する。ページ番号が最大許容ページ数よりも大きい場合は、ステップＳ３０でそのページのコンテンツがＳＩＭカードから削除され、ネットワークに対してページの受信が通知される。そうではない場合は、ステップＳ３２は更に、ＳＩＭカードに記憶されているその他のページがあるか、またメッセージリファレンスおよびＴＰＤＵのＴＰ＿ＯＡに基づいて着信ページと同じＥＭＳに属しているかを判定する。このようなページが見つからない場合は、プロセスはステップＳ３６に進む。幾つかのページが適合する場合は、ステップＳ３４で、適合したこれらのページの状態変数がＵＮＲＥＡＤ（未読）に更新され、その後、プロセスはステップＳ３６に進む。ステップＳ３６では、プロセスは着信ページのページ番号が最大のページ番号であるか否かを判定する。それが最後のページである場合は、プロセスはステップＳ２６に進み、呼出し音を鳴らし、１つの情報を表示し、プロンプトアイコンを点灯させる。それが最後のページではない場合は、ステップＳ３８で所定のプロンプトアイコンがスクリーン上に点灯される。ユーザがステップＳ４０でショートメッセージを読んだ場合は、関連する全ページがＲＥＡＤ（既読）に更新され、点灯していたプロンプトアイコンが暗くなる。
【００３１】
図４は本発明によるＥＭＳを読むプロセスのフローチャートである。「新しいショートメッセージがあります」のような情報がスクリーンに表示されると、ユーザはステップＳ４２でエントリキーを押す。次に、プロセスは新規のメッセージのコンテンツを読むためにステップＳ７０に進む。それ以外の場合は、ユーザはユーザメニューを起動して、メニューからショートメッセージのエントリを選択できる。次に、ステップＳ５２でスクリーンに２つの項目、ＵＮＲＥＡＤ（未読）グループ、およびＲＥＡＤ（既読）グループが表示される。２つの項目の間で指定された後、プロセスはステップＳ５４でＵＮＲＥＡＤ（未読）グループの項目が選択されたか否かを判定する。ＵＮＲＥＡＤ（未読）グループが選択されている場合は、プロセスはＳ５６に進み、そうではない場合は、プロセスはＳ５８に進む。ステップＳ５６では、ＵＮＲＥＡＤ（未読）状態にあるＥＭＳがその時間パラメータに応じて昇順または降順にリストされる。ステップＳ５８では、ＲＥＡＤ（既読）状態にあるＥＭＳがステップＳ５６と同様にリストされる。ステップＳ６０で、ユーザはこれらのリストから所望のＥＭＳを指定する。次に、プロセスはステップＳ７０に進み、指定されたメッセージのコンテンツを表示する。
【００３２】
図５は本発明による通信端末の例のブロック図である。通信端末１００は入力手段１０２と、受信手段１０４と、記憶手段１０６と、変数作成および割当て、および初期化手段１０８と、更新手段１１０と、表示手段１１２とを備えている。新規のメッセージページは受信手段１０４によって受信され、記憶手段１０６に記憶される。変数作成および割当て、および初期化手段１０８はページのＲＥＡＤ（既読）／ＵＮＲＥＡＤ（未読）状態を表す状態変数を作成し、新規に着信した各ページに前記状態変数を割り当て、変数をＵＮＲＥＡＤ（未読）状態として初期化する。更新手段１１０は、記憶手段に既に記憶され、新規ページと同じメッセージに属している他の全ページの状態変数をＵＮＲＥＡＤ（未読）に変更する。新規ページの着信情報は表示手段１１２に表示される。次に、ユーザはキーボードのような入力手段１０２で命令を入力して、メッセージを読む。メッセージが読まれると、更新手段１１０が読まれたメッセージの全ページをＲＥＡＤ（既読）に変更する。
【００３３】
以下は一例である。メッセージのシーケンスがｍ４、ｍ１、Ｍ３、ｍ２、Ｍ４、Ｍ２、の順に入力される。このメッセージシーケンスは２つのＥＭＳを含んでいる。第一のＥＭＳはキーワードｍによって表され、４ページからなっており、ｍ１、ｍ２およびｍ４はそれぞれＥＭＳの１番目、２番目、および４番目のページである。第二のＥＭＳはキーワードＭによって表され、５ページからなっており、Ｍ２、Ｍ３およびＭ４はそれぞれＥＭＳの２番目、３番目、および４番目のページである。その時点で、２つのメッセージの双方ともＵＮＲＥＡＤ（未読）グループに配列される。
【００３４】
メッセージｍの最後のページが着信すると、一時的なスクリーンがポップアップして、「新しいショートメッセージがあります」が表示される。ユーザが入力すると、メッセージのコンテンツが図１Ｃに示す様に表示される。そして、ｍ１、ｍ２およびｍ４の状態がＲＥＡＤ（既読）に更新され、メッセージｍはＲＥＡＤ（既読）グループに再分類される。メッセージＭは依然としてＵＮＲＥＡＤ（未読）グループにある。
【００３５】
それ以降、ユーザはメッセージｍをＲＥＡＤ（既読）グループ内で見つけることができる。
【００３６】
ページｍ３が後に着信した場合は、ｍ１、ｍ２およびｍ４のページは再びＵＮＲＥＡＤ（未読）状態に更新され、メッセージｍはＵＮＲＥＡＤ（未読）グループに戻る。
【００３７】
上記を要約すると、本発明では状態更新方法、通知方法、複合グループ化およびソーティング方法、および代替ストリング挿入方法が用いられている。より具体的には、状態更新方法で状態変数が受信された各ＥＭＳページに割り当てられる。ＥＭＳの全ページはこれと一致して状態変数をＲＥＡＤ（既読）とＵＮＲＥＡＤ（未読）との間で変更する。ＥＭＳページが新規に入力されると、ＳＩＭカードに記憶され、新たなページと同じＥＭＳに属する他のページがＲＥＡＤ（既読）状態からＵＮＲＥＡＤ（未読）状態へと変更される。通知方法は２つの方法で実行される。ＥＭＳの最初のページまたは最後のページが着信すると、呼出し音が鳴り、一時的なスクリーンがポップアップされ、「新しいショートメッセージがあります」のような情報が表示される。いずれかのページが着信すると、プロンプトアイコンが起動される。複合グループ化およびソーティング方法は本発明の表示モード用に用いられる。この方法では、ページがＵＮＲＥＡＤ（未読）状態にあるＥＭＳはＵＮＲＥＡＤ（未読）グループに分類され、一方、ページがＲＥＡＤ（既読）状態にあるＥＭＳはＲＥＡＤ（既読）グループに分類される。各グループで、ＥＭＳは代表的なＴＰ＿ＳＣＴＳに応じて昇順または降順にソートされる。各ＥＭＳは同じメッセージリファレンスおよびＴＰ＿ＯＡを有する一連のページに対応している。その上、各ＥＭＳはページ番号に応じて昇順に表示され、欠落ページは特殊なストリングまたは記号に置き換えられる。
【００３８】
本発明では、各ＥＭＳはＥＭＳ全体が削除された場合を除いては、既読であるか未読であるかにかかわりなく、また、破損されているか、されていないかにかかわりなくいつでも見ることができる。ユーザは一時的なスクリーンが起動されるとＥＭＳを直ぐに読んでもよく、またはＵＮＲＥＡＤ（未読）グループ、またはＲＥＡＤ（既読）グループから所望のＥＭＳを見つけてもよい。ＥＭＳのコンテンツは分かりやすく表示される。これは人々の読む習慣と一致し、欠落したページを指示できる。ブラウザのダウンロードプロセスと同様に、本発明では、ユーザはＥＭＳの全ページの着信を要求することなしに、連結されたＥＭＳを少しずつ、ページごとに読むことができる。
【００３９】
本発明はその範囲と趣旨から離れることなく、種々の修正と変更が可能であることが当業者には理解されよう。したがって、本発明は添付の請求項およびそれらと等価の内容の範囲内の修正と変更を包含することを意図するものである。
【図面の簡単な説明】
【００４０】
【図１Ａ】本発明による４つの表示モードの１例を示した携帯電話の概略図である。
【図１Ｂ】本発明による４つの表示モードの１例を示した携帯電話の概略図である。
【図１Ｃ】本発明による４つの表示モードの１例を示した携帯電話の概略図である。
【図１Ｄ】本発明による４つの表示モードの１例を示した携帯電話の概略図である。
【図２】ＥＭＳのデータ構造の概略図である。
【図３】本発明による着信ＥＭＳの管理プロセスのフローチャートである。
【図４】本発明によるＥＭＳの表示プロセスのフローチャートである。
【図５】本発明による通信端末のブロック図である。
【図１Ａ】
2005509224.tif 000003
【図１Ｂ】
2005509224.tif 000004
【図１Ｃ】
2005509224.tif 000005
【図１Ｄ】
2005509224.tif 000006
【図２】
2005509224.tif 000007
【図３】
2005509224.tif 000008
【図４】
2005509224.tif 000009
【図５】
2005509224.tif 000010
【国際調査報告】
2005509224.tif 000011
2005509224.tif 000012